(57)【要約】【課題】音域が少なくとも２７．５Ｈｚ以下の低音域まで伸びている小型の箏を提供すること。【解決手段】一端部を竜頭１１、他端部を竜尾１２とする胴１と、竜頭１１と竜尾１２との間に張架される複数の絃２と、竜頭１１の上面に突設され絃２を支持する竜角３と、竜尾１２の上面に突設され絃２を支持する雲角４と、胴１の上面に載置され張架された絃２を適宜の位置で支承し音程を可変にする琴柱５と、竜頭１１及び竜尾１２の一方に備えられ絃２の一端を係止する一端係止機構６と、竜頭１１及び竜尾１２の他方に備えられ絃２の他端を係止すると共に絃２の張力を調節する張力調節係止機構７と、を有する箏であって、絃２は金属製であり、胴１はその長さが１５０ｃｍ以下であり、その音域は少なくとも２７.５Ｈｚ以下の低音域まで伸びていることを特徴とする箏。【選択図】図２
2012150407.tif 000002
【特許請求の範囲】
【請求項１】
一端部を竜頭、他端部を竜尾とする胴と、前記竜頭と前記竜尾との間に張架される複数の絃と、前記竜頭の上面に突設され前記絃を支持する竜角と、前記竜尾の上面に突設され前記絃を支持する雲角と、前記胴の上面に載置され前記張架された絃を適宜の位置で支承し音程を可変にする琴柱と、前記竜頭及び前記竜尾の一方に備えられ前記絃の一端を係止する一端係止機構と、前記竜頭及び前記竜尾の他方に備えられ前記絃の他端を係止すると共に絃の張力を調節する張力調節係止機構と、を有する箏であって、
前記絃は金属製であり、前記胴はその長さが１５０ｃｍ以下であり、その音域は少なくとも２７.５Ｈｚ以下の低音域まで伸びていることを特徴とする箏。
【請求項２】
前記絃は、芯線と前記芯線に巻回された細線とからなる請求項１に記載の箏。
【請求項３】
前記琴柱は、本体と前記本体の頭部に回転自在に軸支され前記絃と係合して回転するリングとからなる請求項２に記載の箏。
【請求項４】
前記リングは玉軸受である請求項３に記載の箏。
【請求項５】
前記胴は、表面板と、裏面板と、前記表面板から前記竜角の下方に延びる竜頭板と、前記表面板から前記雲角の下方に延びる竜尾板と、２枚の側板とで構成する共鳴箱を備える請求項１から４のいずれか１項に記載の箏。
【請求項６】
前記張力調節係止機構は、前記竜頭の竜角より端部側に形成された前記複数の絃が引き通される複数の挿通孔と、前記竜頭板に回動可能に設けられ前記挿通孔を引き通された絃が巻回される複数の糸巻と、を備える請求項５に記載の箏。
【請求項７】
前記一端係止機構は、前記竜尾の雲角より端部側に形成された前記複数の絃が引き通される貫通孔と、前記貫通孔を引き通された絃の一端部に結着され前記貫通孔の周囲に係止される駒と、を備える請求項５に記載の箏。
【発明の詳細な説明】
【技術分野】
【０００１】
本発明は、日本伝統楽器の一つである筝に係り、特に、伴奏、低音域を担当する筝に関する。
【背景技術】
【０００２】
一般に、絃の数が１３本である十三絃箏を「箏」と称し、これは主旋律、高音域を担当する。一方、伴奏、低音域（少なくとも約２７.５Ｈｚまでの振動数）を担当するために宮城道雄によって考案された絃の数が１７本である十七絃箏を「十七絃」と称する。また、二十絃箏、二十五絃箏、三十絃箏、三十二絃箏もあるが、本願明細書では、絃の数に関わらず音域が低音域まで伸びている箏を箏と総称する。
【０００３】
従来の筝は、胴に桐等を用い、竜頭（頭部）及び竜尾（尾部）に唐木等を用いて形成され、例えば、絃の数が１３本の箏の長さは約１８０ｃｍ（六尺）が標準であり、また幅は、竜頭側で約２５ｃｍである。絃の数が１７本の低音域までカバーする箏の長さは約２１０ｃｍ（七尺）、幅は約３３ｃｍである。
【０００４】
絃はテトロン（登録商標）製等で１３本、１７本、２０本・・・を竜頭及び竜尾に琴柱を介して平行に張り、奏者は竜頭を右にして座り、右手の親指、人差し指、中指に爪をはめて弾くものであり、左手は主に琴柱の左側を押して絃音を高くする押し手に使う他、ひきいろ等と称する装飾音をつけるときにも使われる。
【０００５】
従来の箏は、上面と両側面を一つの材からくり抜いて作り、下面だけ別材を張り合わせた共鳴箱型の胴の上面に絃を張架した構造である。胴の下面の両端には共鳴音を外部に放射させる音抜け穴が形成されている。
【０００６】
日本の家屋は六尺（１８０ｃｍ）高の「襖」と三尺（９０ｃｍ）幅の通路が一般的で、上記従来の箏（１８０ｃｍ、２１０ｃｍ）を立てて運ぶことが困難であった。
【０００７】
また、演奏会場に箏を車で運搬する際、箏の長手方向を車幅方向にすることができなかった。
【０００８】
更に、上記従来の箏は胴が共鳴箱のため、絃の取り回しや調律を下面の音抜け穴を介して行う必要があり、絃の張架及び調律に長時間を要した。
【０００９】
最近、上記従来の箏の問題を解決すべく小型箏が開発された（例えば、特許文献１参照。）。この小型箏は、胴を一枚の胴板にして胴板の上面に１３本のテトロン（登録商標）を張架したもので、長さは８０〜１２０ｃｍである。
【先行技術文献】
【特許文献】
【００１０】
【特許文献１】特開２００２−２３７３７号公報
【発明の概要】
【発明が解決しようとする課題】
【００１１】
最近開発された小型箏は、上記のように、主旋律、高音域を担当する十三絃箏であるので、長さを短くすることができたものである。
【００１２】
ところで、弦の基本振動数Ｆ[Ｈｚ]は次式のように表される。
【００１３】
Ｆ＝（１/２Ｌ）（Ｔ/σ）1/2                  （１）
ここで、Ｌは弦の長さ[ｍ]、Ｔは張力[Ｎ]、σは単位長さ当たりの質量（線密度）[ｋｇ/ｍ]である。
【００１４】
（１）式より、張力を大（Ｔ→大）にすると高音（Ｆ→大）となり、張力を小（Ｔ→小）にすると低音（Ｆ→小）となるが、張力を大にすると絃が切れやすく、張力を小にすると、音が割れるため張力Ｔの可変範囲は狭いことがわかる。したがって、小型にするために絃の長さを短くする（Ｌ→小）と、高音にずれる（Ｆ→大）ので、線密度σの大きな絃にする必要がある。しかし、テトロンやナイロンと云った高分子材料は、密度が１．１２ｇ/ｃｍ３と低く、線密度σを大きくするためには、太くしなければならない。絃が太くなると、爪で弾くことが難しくなる。
【００１５】
以上のことから、テトロン絃で絃の長さＬを短くすることには限界があり、従来の小型箏の長さは１２０ｃｍが限界と思われる。
【００１６】
仮に、従来の小型箏の長さが８０ｃｍであったとしても、これは、主旋律、高音域を担当するものであり、少なくとも約２７.５Ｈｚ以下の低音を出すことができない。
【００１７】
十七絃箏は、伴奏、低音域を担当するため、長さが２１０ｃｍもあり、運搬や演奏場所の観点から小型化する必要性が高いが、上記の議論（小型化するために、絃の長さを短くすると高音になるため、絃を太くしなければならないが、低音域を満たすようにするためには太くなり過ぎる）から、上記従来の小型箏の技術では困難である。
【００１８】
また、従来の小型箏は、胴が一枚の胴板であるため、絃の取り回しや調律は容易であるが、共鳴箱を有していないので、音色や音の響きが悪いという問題もある。
【００１９】
本発明は、上記従来の小型箏の問題に鑑みてなされたものであり、音域が少なくとも２７．５Ｈｚ以下の低音域まで伸びている小型の箏を提供することを課題とする。
【００２０】
また、音色や音の響きを犠牲にすることなく、絃の張架や調律のしやすい、小型の箏を提供することを課題とする。
【課題を解決するための手段】
【００２１】
上記の課題を解決するためになされた本発明の箏は、一端部を竜頭、他端部を竜尾とする胴と、前記竜頭と前記竜尾との間に張架される複数の絃と、前記竜頭の上面に突設され前記絃を支持する竜角と、前記竜尾の上面に突設され前記絃を支持する雲角と、前記胴の上面に載置され前記張架された絃を適宜の位置で支承し音程を可変にする琴柱と、前記竜頭及び前記竜尾の一方に備えられ前記絃の一端を係止する一端係止機構と、前記竜頭及び前記竜尾の他方に備えられ前記絃の他端を係止すると共に絃の張力を調節する張力調節係止機構と、を有する箏であって、前記絃は金属製であり、前記胴はその長さが１５０ｃｍ以下であり、その音域は少なくとも２７.５Ｈｚ以下の低音域まで伸びていることを特徴とする。
【００２２】
絃が金属製であるので、密度が高い。したがって、箏の長さを短くするために絃の長さを短く（Ｌ→小）しても、高音域はもちろん低音域もカバーできる。絃の太さを少し大きくするだけで低音域を余裕をもってカバーすることができる。音域が少なくとも２７.５Ｈｚ以下の低音域まで伸びているので、邦楽合奏の低音域を担当することができる。また、長さが１５０ｃｍ以下であるので運搬が容易である。
【００２３】
上記の箏において、前記絃は、芯線と前記芯線に巻回された細線とからなるとよい。
【００２４】
音色を従来の箏と同等にすることができる。
【００２５】
また、前記琴柱は、本体と前記本体の頭部に回転自在に軸支され前記絃と係合して回転するリングとからなるとよい。
【００２６】
芯線と前記芯線に巻回された細線とからなる絃でも、琴柱の左側の絃を押して絃音を高くする際、琴柱と絃の間の摩擦が転がり摩擦になるため、絃の移動が滑らかで、移動時の雑音がほとんどない。
【００２７】
また、前記リングは玉軸受であるとよい。
【００２８】
絃とリングとの間がフリクションフリーになり、一層絃の移動が滑らかになるので移動時の雑音をさらに抑制することができる。
【００２９】
また、前記胴は、表面板と、裏面板と、前記表面板から前記竜角の下方に延びる竜頭板と、前記表面板から前記雲角の下方に延びる竜尾板と、２枚の側板とで構成する共鳴箱を備えるとよい。
【００３０】
胴が共鳴箱を備えているので、音色や音の響きがよい。
【００３１】
また、前記張力調節係止機構は、前記竜頭の竜角より端部側に形成された前記複数の絃が引き通される複数の挿通孔と、前記竜頭板に回動可能に設けられ前記挿通孔を引き通された絃が巻回される複数の糸巻と、を備えるとよい。
【００３２】
挿通孔を引き通された絃が巻回される糸巻が竜頭板に設けられているので、胴の竜甲で隠され竜甲側から見えない。糸巻の頭部が共鳴箱の外にあるので、竜口から操作でき操作性がよい。
【００３３】
また、前記一端係止機構は、前記竜尾の雲角より端部側に形成された前記複数の絃が引き通される貫通孔と、前記貫通孔を引き通された絃の一端部に結着され前記貫通孔の周囲に係止される駒と、を備えるとよい。
【００３４】
貫通孔が共鳴箱の外にあるので、絃の張り替え等を音抜け穴を介して行う必要がない。
【発明の効果】
【００３５】
絃が金属製であるので、密度が高い。したがって、箏の長さを短くするために絃の長さを短く（Ｌ→小）しても、高音域はもちろん低音域もカバーできる。絃の太さを少し大きくするだけで低音域を余裕をもってカバーすることができる。音域が少なくとも２７.５Ｈｚ以下の低音域まで伸びているので、邦楽合奏の低音域を担当することができる。また、長さが１５０ｃｍ以下であるので運搬が容易である。
【図面の簡単な説明】
【００３６】
【図１】実施形態に係る箏の正面図である。
【図２】実施形態に係る箏の正面断面図である。
【図３】実施形態に係る箏の裏面図である。
【図４】実施形態に係る箏の絃の模式図であり、（ａ）は側方視図、（ｂ）は（ａ）におけるＡ−Ａ線断面図である。
【発明を実施するための形態】
【００３７】
本発明の実施形態を図面を参照して説明する。図１〜図４に示すように、本発明の実施形態に係る箏は、横断面弧状の表面板１３と両側板１５と下面板１４とを備える胴１を有している。
【００３８】
胴１の一端部が竜頭１１を形成し、他端部が竜尾１２を形成している。竜頭１１の表面板１３の上面に竜角３が突設され、竜尾１２の表面板１３には雲角４が突設されている。なお、竜頭１１と竜尾１２の間の表面板１３の上面を竜甲と云う。
【００３９】
竜頭１１の表面板１３の下面には竜角３の下方に延びる竜頭板１１ａを備え、竜尾１２の表面板１３の下面には竜雲４の下方に延びる竜雲板１２ａを備えている。そして、表面板１３、裏面板１４、側板１５、竜頭板１１ａ、竜雲板１２ａで共鳴箱を構成している。裏面板１４の竜頭１１側と竜尾１２側には、音抜け穴１４ａが形成されている。
【００４０】
裏面板１４は、竜頭１１側は表面板１３の端部まで伸びているが、竜尾１２側は竜尾板１２ａまでしか伸びていない。したがって、図３に示すように、竜尾１１の下方に開口１２ｂが形成され、下から竜尾１２の表面板１３の下面にアクセスすることができる。
【００４１】
胴１は桐材で作られ、幅は１７本の絃を張架できるように約３３ｃｍに設定され、長さは１２７ｃｍである。
【００４２】
竜尾１２には、竜頭１１と竜尾１２の間に張架される絃２の一端を係止する一端係止機構６が備えられている。また、竜頭１１には、絃２の他端を係止すると共に絃２の張力を調節する張力調節係止機構７が備えられている。
【００４３】
本実施形態の箏において、張架される絃２としては、細線が巻回されてないウッドベース用の弦でもよいが、音色を重視して弦楽器ハーブ用の弦を用いた。この絃２は、スチール製である。本実施形態の絃２は、図４に示すように、太さ約１ｍｍの芯線２ａと、芯線２ａに巻回された太さが約０.１ｍｍの細線２ｂとからなる。細線２ｂは、接着層としての樹脂層２ｃを介して芯線２ａに巻回されている。絃２の本数は１７本で、十七絃の音域をカバーするように、絃２の外径ｂは１．２５ｍｍ前後の４種類とした。
【００４４】
一端係止機構６は、図１〜図３に示すように、竜尾１２の雲角４より端部側に形成された絃２が引き通される貫通孔６１と、貫通孔６１を引き通された絃２の一端部に結着され貫通孔６１の周囲に係止される駒６２を備えて構成されている。貫通孔６１には、絃２が挿通されるガイドブッシュ６３が嵌入されている。ガイドブッシュ６３は、断面Ｔ字状をしており、ガイドブッシュ６３の軸部が表面板１３の貫通孔６１に嵌入される。貫通孔６１の下端と駒６２の間には絃２が引き通される孔が形成された座板６４が介挿されている。これにより、表面板１３が柔らかい桐材でできていても駒６２で損傷されることがなくなる。
【００４５】
絃２の張り替え等の際は、胴１の下面開口部１２ｂから手を挿入して絃２を貫通孔６１に引き通したり、駒６２に結着して駒６２を貫通孔６２の周囲に配置したりすることを容易に行うことができる。
【００４６】
張力調整係止機構７は、竜頭１１の竜角３より端部側に形成された絃２が引き通される挿通孔７１と、竜頭板１１ａに回動可能に設けられ挿通孔７１を引き通された絃２が巻回される糸巻７２を備えて構成されている。挿通孔７１には、絃２が挿通されるガイドブッシュ７３が嵌入さてれている。
【００４７】
琴柱５が竜角３と雲角４の間の表面板１３に載置され、絃２が適宜の位置で支承されている。琴柱５は、図２に示すように、本体５１と本体５１の頭部に回転自在に装着されたリング５２を備えている。本実施形態では、リング５２にＮＴＮ(株)の玉軸受（Ｆ-ＢＣ２-５）を用いた。
【００４８】
本実施形態の箏によれば、胴１の長さが１２７ｃｍと、従来の箏より約４割短くなっており、軽量（従来の箏より約４割軽量）であるので、運搬が容易である。
【００４９】
本実施形態の箏によれば、胴１の長さが１２７ｃｍであるため、竜角３と雲角４の間隔（絃の長さ）が１１６.５ｃｍしかないが、絃２がスチール製であるので、音域が少なくとも２７.５Ｈｚ以下の低音域まで伸びており、十七絃の低音域までカバーすることができる。
【００５０】
また、本実施形態の箏によれば、絃２がハーブ用の弦であるため、音色が従来のテトロン絃と比べて遜色がない。
【００５１】
また、本実施形態の箏によれば、琴柱５の回転リング５２が玉軸受であるので、絃２が芯線２ａと芯線２ａに巻回された細線２ｂとからなるハーブ用の絃でも、琴柱５の左側の絃２を押して絃音を高くする際、琴柱５と絃２の間の摩擦が転がり摩擦になる。その結果、絃２の移動が滑らかで、移動時の雑音がなくなる。
【００５２】
また、本実施形態の箏によれば、胴１が共鳴箱を備えているので、音色が従来の箏と比べて遜色がない。
【００５３】
また、本実施形態の箏によれば、胴１が共鳴箱を備えていても、竜尾１２の下面に開口部１２ｂが形成されているので、絃２の張り替え等を容易に行うことができる。
【００５４】
また、本実施形態の箏によれば、挿通孔７１を引き通された絃２が巻回される糸巻７２が竜頭板１１ａに設けられているので、胴１の表面板１３で隠され竜甲側から見えない。糸巻７２の頭部が共鳴箱の外にあるので、竜口から操作でき操作性がよい。
【符号の説明】
【００５５】
１・ ・・・・・・・・ ・・胴
１１・・・・・・・・・・竜頭
１１ａ・・・・・・・竜頭板
１２・・・・・・・・・・竜尾
１２ａ・・・・・・・竜尾板
１３・・・・・・・・・・表面板
１４・・・・・・・・・・裏面板
１５・・・・・・・・・・側板
２・・・・・・・・・・・・絃
２ａ・・・・・・・・・・芯線
２ｂ・・・・・・・・・・細線
３・・・・・・・・・・・・竜角
４・・・・・・・・・・・・雲角
５・・・・・・・・・・・・琴柱
５１・・・・・・・・・・本体
５２・・・・・・・・・・リング（玉軸受）
６・・・・・・・・・・・・一端係止機構
６１・・・・・・・・・・貫通孔
６２・・・・・・・・・・駒
７・・・・・・・・・・・・張力調節係止機構
７１・・・・・・・・・・挿通孔
７２・・・・・・・・・・糸巻
【図１】
2012150407.tif 000003
【図２】
2012150407.tif 000004
【図３】
2012150407.tif 000005
【図４】
2012150407.tif 000006